(57)【要約】      （修正有）【課題】高耐震施工にも対応可能で、そのサイズを設置スペースに柔軟に対応させることができる高強度の設備用基礎構造物を提供する。【解決手段】本設備用基礎構造物は、設備を設置するための設備用基礎構造物であって、所定の間隔をもって載置された少なくとも２つのブロック部材１と、該ブロック部材１を連結するフレーム部材２とを備え、上記ブロック部材１には、その長手方向に沿ってレール３が埋設されており、当該レール３には上記ブロック部材１に上記フレーム部材２を固定するためのボルトが装着されると共に、上記設備を設置するためのボルトが装着されることを特徴とする。【選択図】図１
0003165719.tif 000002
【実用新案登録請求の範囲】
【請求項１】
設備を設置するための設備用基礎構造物であって、
所定の間隔をもって載置された少なくとも２つのブロック部材と、
上記ブロック部材を連結するフレーム部材と、を備え、
上記ブロック部材には、その長手方向に沿ってレールが埋設されており、当該レールには上記ブロック部材に上記フレーム部材を固定するためのボルトが装着されると共に、上記設備を設置するためのボルトが装着されること
を特徴とする設備用基礎構造物。
【請求項２】
上記レールは、上記ブロック部材の長手方向に沿って、その長手方向の長さと略同じ長さで、中心線よりも左右いずれかに所定長だけずれた線上に埋設されていること
を特徴とする請求項１に記載の設備用基礎構造物。
【請求項３】
上記フレーム部材の両端には、所定長の長孔形状の開口部が設けられており、上記フレーム部材は、上記ブロック部材の上記レールに装着されたボルトを当該開口部を介してナットで締結することで上記ブロック部材に固定されること
を特徴とする請求項１に記載の設備用基礎構造物。
【請求項４】
上記ブロック部材には、少なくとも２つの貫通孔が両端部近傍に鉛直方向に設けられており、当該貫通孔に六角抵抗ブロックのボルトを貫通させ、当該ボルトにナットを締結することにより該六角抵抗ブロックを上記ブロック部材に固定可能であること
を特徴とする請求項１に記載の設備用基礎構造物。
【請求項５】
上記フレーム部材は略Ｌ字形状であり、該フレーム部材の側面は上記ブロック部材の側端面に当接し、上面は上記ブロック部材の上面に当接すること
を特徴とする請求項１に記載の設備用基礎構造物。
【考案の詳細な説明】
【技術分野】
【０００１】
本考案は、例えば自然冷媒ヒートポンプ給湯機等の設備を設置する設備用基礎構造物に関する。
【背景技術】
【０００２】
従来、所定の設備機器を支持するための設備用基礎構造物について種々の技術が提案されている。即ち、例えば特許文献１では、機械基礎が提案されている。これは、コンクリート床上に、アンカーボルト、該アンカーボルトの位置を正確に設定するための受板、該受板にアンカーボルトを螺着したものを設置し、その周囲に型枠を設け、内部に空洞が生じないように該型枠内の全体に亘って基礎コンクリートを打設し、前記受板、受板の上面のレベルとコンクリート仕上げ面のレベルを一致させるように、基礎コンクリートの上面を仕上げて機械基礎を造るものである。
【先行技術文献】
【特許文献】
【０００３】
【特許文献１】特開平１１−１８１７９５号公報
【考案の概要】
【考案が解決しようとする課題】
【０００４】
しかしながら、上記機械基礎は、打設後の基礎コンクリートに機械を搭載するものであることから、当該基礎コンクリートが硬化した後でなければ、機械設備を搭載することができなかった。また、基礎コンクリートに機械重量がかかるものであるため、コンクリートの品質管理も煩雑なものであった。
【０００５】
さらに、昨今の自然冷媒ヒートポンプ給湯機等を家屋の裏等に設置する場合には、狭いスペースに設備用基礎構造物を施工する必要があり、その施工範囲を家屋裏の空きスペースに合わせて柔軟に変更可能とすることが求められている。また、耐震施工に柔軟に対応できることも求められている。
【０００６】
そこで、本考案は上述の技術的な課題に鑑み、簡単に設置することができ、高耐震施工にも対応可能で、そのサイズを設置スペースに柔軟に対応させることができる、高強度の設備用基礎構造物を提供することを目的とする。
【課題を解決するための手段】
【０００７】
上述技術的な課題を解決するため、本考案の一態様に係る設備用基礎構造物は、設備を設置するための設備用基礎構造物であって、所定の間隔をもって載置された少なくとも２つのブロック部材と、上記ブロック部材を連結するフレーム部材と、を備え、上記ブロック部材には、その長手方向に沿ってレールが埋設されており、当該レールには上記ブロック部材に上記フレーム部材を固定するためのボルトが装着されると共に、上記設備を設置するためのボルトが装着されることを特徴とする。
【考案の効果】
【０００８】
本考案に係る設備用基礎構造物によれば、簡単に設置することができ、高耐震施工にも対応可能で、そのサイズを設置スペースに柔軟に対応させることができ、高強度とすることが可能となる。
【図面の簡単な説明】
【０００９】
【図１】本考案の一実施形態に係る設備用基礎構造物の構成を示す図である。
【図２】本考案の一実施形態に係る設備用基礎構造物の施工過程を示す図である。
【図３】本考案の一実施形態に係る設備用基礎構造物の施工過程を示す図である。
【図４】本考案の一実施形態に係る設備用基礎構造物の施工過程を示す図である。
【図５】本考案の一実施形態に係る設備用基礎構造物の施工過程を示す図である。
【図６】六角抵抗ブロックの一例を示す図である。
【図７】本考案の一実施形態に係る設備用基礎構造物に六角抵抗ブロックを装着した様子を示す図である。
【考案を実施するための形態】
【００１０】
以下、本考案の設備用基礎構造物に係る好適な実施形態について図面を参照しながら説明する。なお、本考案の設備用基礎構造物は、以下の記述に限定されるものではなく、本考案の要旨を逸脱しない範囲において、適宜変更可能である。
【００１１】
図１には本考案の一実施形態に係る設備用基礎構造物の構成を示し説明する。
【００１２】
この一実施の形態に係る設備用基礎構造物は、２つのブロック部材１と２つのプレート部材２を用いて基礎構造物の形状を定め、生コンクリートをそれらで作られる空間に流し込むことで形成されるものである。
【００１３】
そして、この設備用基礎構造物の上に設備を搭載するときには、当該設備の下方に形成された装着部が、ブロック部材１の上面１ｂに埋設されたレール３に差し込まれているボルト７に通され、ワッシャー９を介してナット８により固定されるように、２つのブロック部材１間の間隔が調整される。このように、自然冷媒ヒートポンプ給湯機等の設備はブロック部材１側に設置されることから、生コンクリートの硬化を待つことなく、設備を搭載することが可能となっている。以下、更に詳述する。
【００１４】
同図に示されるように、ブロック部材１は、その上面１ｂに設備が載置される部材であって、この例ではコンクリートブロックにより構成されている。設備用基礎構造物としては、２つのブロック部材１が、設備の設置が所望される場所に所定の間隔を空けて、その長手方向が平行となるように、並べて置かれる。このとき、レベラー等を用いてブロック部材１が設置面に対して水平に設置されるようにするとよい。
【００１５】
ブロック部材１の上面１ｂには、レール３が、当該上面１ｂの長手方向に沿って、上面１ｂの中心線より一方の端に寄った位置を通るように、上面１ｂの長手方向の長さと略同一に形成されている。このレール３には、設備の下方に形成された装着部を装着するためのボルト７が通されるとともに、後述するようにプレート部材２を装着するためのボルト４も通される点に特徴がある。つまり、レール３は、設備の装着用とプレート部材２の装着用といった２つの目的のために兼用される。この点、特徴的である。レール３は、例えばアルミ製であり、ブロック部材１を造るときに埋設される。
【００１６】
また、左右対称のブロック部材１の形状とブロック部材１の上面１ｂのレール３が中心線よりも一方の端に寄った位置にあるため、ブロック部材１の向きを１８０度変えることによりレール３の位置を内側、外側と、自由自在に変更可能であり、設置スペースに対応したサイズバリエーションにより、設備のサイズと設備用基礎構造物のサイズをバランスよくすることができるようになっている。この点も特徴的である。
【００１７】
プレート部材２は、略Ｌ字状になっており、その上面２ｂの両端には、長孔形状の開口部２ｃが設けられている。このプレート部材２の開口部２ｃには、レール３に装着されたボルト４が通され、ワッシャー６を介してナット５が締結され、プレート部材２がブロック部材１に装着される。このとき、開口部２ｃは、プレート部材２の長手方向に所定長の長さを有した長孔形状なので、ブロック部材１の柔軟な設置、ひいては設備用基礎構造物のサイズバリエーションに柔軟に対応可能である。
【００１８】
尚、この例では、ブロック部材１は、安全性確保の観点から角が落とされているが、プレート部材２も、当該ブロック部材１の角が落とされた形状に対応した略Ｌ字形状となっている。即ち、プレート部材２は、Ｌ字の屈曲する位置とブロック部材１の側端面１ａの下方の角が落とされた部分に当接する位置とにおいて、所定長の直線部を有した略Ｌ字形状となっている。このような形状により密閉性が向上されている。
【００１９】
プレート部材２は、例えばザム材でできており、傷が付いても補修作用で錆びないようにできている。また、プレート部材２は、例えば１．６ｍｍ厚であって、歪みの心配もない。ただし、材質、サイズは一例であって、これに限定されない。
【００２０】
ブロック部材１の側端面１ａにプレート部材２の側面２ａの一部が当接し、ブロック部材１の上面１ｂにプレート部材２の上面２ｂの一部が当接し、レール３の端部がプレート部材２の開口部２ｃと重なるように、即ち開口部２ｃを介してプレート部材２をレール３に対してボルト４、ワッシャー６、ナット５により固定可能となるように、両者は位置合わせされる。そして、先にも述べたように、ブロック部材１のレール３から突出し、プレート部材２の上面２ｂの開口部２ｃを通されたボルト４に、ワッシャー６を介してナット５を締結することで、ブロック部材１に対してプレート部材２を装着する。このようにプレート部材２はボルト４とナット５でしっかりとブロック部材１に固定される為、脱落を防ぐことができる。
【００２１】
２つのブロック部材１と２つのプレート部材２により囲まれた領域には、生コンクリートが流し込まれ、一体化される。このとき、前述したような装着により、ブロック部材１とプレート部材２とがしっかり密着しているので、それらにより作られる空間に流し込まれる生コンクリートの漏れも防止される。
【００２２】
このほか、各ブロック部材１には、六角抵抗ブロックのボルトが貫通し、両者の位置関係を固定するための貫通穴１０も２か所設けられている。
【００２３】
以下、図２乃至図５を参照して、この実施形態に係る設備用基礎構造物の施工の過程を詳細に説明する。ここでは、六角抵抗ブロックを用いた施工例を説明する。
【００２４】
土間掘り込み施工の後、六角抵抗ブロック２０を四隅に設置し、土質改良施工を施し、改良土による埋め戻しを行い、その上に、ブロック部材１を設置する。そのとき、六角抵抗ブロック２０のボルト１１は、ブロック部材１の貫通孔１０を貫通し、ワッシャー１２を介してナット１３が締結され、こうして六角抵抗ブロック２０にブロック部材１が固定されることになる（図２，３参照）。なお、土質改良の目安であるが、掘り起こした土の質量の約１２％のセメントを土に練り込む。
【００２５】
続いて、連結施工を行う。即ち、ブロック部材１にプレート部材２を連結する。より具体的には、ブロック部材１のレール３の端部がプレート部材２の開口部２ｃと重なるように、即ち、開口部２ｃを介してプレート部材２をレール３に対してボルト４、ワッシャー６、ナット５により固定可能となるように、両者は位置合わせされる。そして、先にも述べたように、ブロック部材１のレール３から突出し、プレート部材２の上面２ｂの開口部２ｃを通されたボルト４に、ワッシャー６を介してナット５を締結することで、ブロック部材１に対してプレート部材２を装着する。その後、後打ちセメント投入施工を行う。これは、２つのブロック部材１と２つのプレート部材２により囲まれた空間にセメントを投入するものである（図４，５参照）。以上で、施工が完了となる。
【００２６】
ここで、図６には、六角抵抗ブロック２０の一例を示す。６角柱の下部とそれよりも径の小さく上部に行くほどに径が小さくなる６角柱の組み合わせにより構成されている。
【００２７】
図７には、本考案の一実施形態に係る設備用基礎構造物に六角抵抗ブロック２０を装着した様子を示している。六角抵抗ブロック２０は、そのボルトがブロック部材１の貫通穴を貫通するように装着され、ここでは不図示であるが、ワッシャーを介してナットが締結されブロック部材１に対して固定される。
【００２８】
以上説明したように、本考案の実施形態によれば、設備を設置するための設備用基礎構造物であって、所定の間隔をもって載置された少なくとも２つのブロック部材１と、上記ブロック部材１を連結するフレーム部材２とを備え、上記ブロック部材１には、その長手方向に沿ってレール３が埋設されており、当該レール３には上記ブロック部材１に上記フレーム部材２を固定するためのボルト４が装着されると共に、上記設備を設置するためのボルト７が装着されることを特徴とする設備用基礎構造物が提供される。
【００２９】
上記レール３は、上記ブロック部材１の長手方向に沿って、その長手方向の長さと略同じ長さで、中心線よりも左右いずれかに所定長だけずれた線上に埋設される。上記フレーム部材２の両端には、所定長の長孔形状の開口部２ｃが設けられており、上記フレーム部材２は、上記ブロック部材１の上記レール３に装着されたボルト４を当該開口部２ｃを介してナット５で締結することで上記ブロック部材１に固定されてよい。
【００３０】
上記ブロック部材１には、少なくとも２つの貫通孔１０が両端部近傍に鉛直方向に設けられており、当該貫通孔１０に六角抵抗ブロック２０のボルト１１を貫通させ、当該ボルト１１にナット１３を締結することにより該六角抵抗ブロック２０を上記ブロック部材１に固定可能である。上記フレーム部材２は略Ｌ字形状であり、該フレーム部材２の側面２ａは上記ブロック部材１の側端面１ａに当接し、上面２ｂは上記ブロック部材１の上面１ｂに当接することとしてよい。
【００３１】
本考案の実施形態に係る設備用基礎構造物によれば、以下の効果が奏される。
【００３２】
第１に、ブロック部材１とプレート部材２を連結する方法に特徴があり、ブロック部材１の上面１ｂに埋設されたアルミ製４分サイズのレール３を使う。設備用基礎構造物にタンクユニットなどの設備を固定させるのにも同じレール３を使う。具体的には、レール３から突出したボルト７に設備の下部の装着部を通し、ワッシャー９を介して、ナット８を締結することで固定する。その結果、少ない部材で構成されている為、コストを低くすることが出来、組み立ても簡単で施工時間の短縮が出来る。
【００３３】
第２に、プレート部材２の上面２ｂには楕円状の長穴が２か所付いていて、即ち開口部２ｃが２か所設けられていて、加工無しで数百種類あるタンクユニットなどの設備のアンカーピッチに対応することができる。
【００３４】
第３に、連結するプレート部材２はＬ字形状に曲げてあり、プレート部材２の強度を高くさせる理由と施工後の基礎上部の美観を高めている。
【００３５】
第４に、ブロック部材１の上面１ｂにあるアルミ製のレール３は、当該上面１ｂの長手方向の中心線よりも一方の端に寄った位置に設けられているので、当該レール３の位置をブロック部材１の向きを１８０度変更することにより外側にしたり内側にしたりすることができ、その結果、同じレール巾であっても、設備用基礎構造物を大きくしたり、小さくしたりすることができる。
【００３６】
第５に、コンクリート製の六角抵抗ブロック２０に寸切りボルト１１を取り付け掘り起こした土間に設置後、掘り起こした土の約１０％をセメントを練り混ぜ埋め戻すことで六角抵抗ブロック２０と土質改良後の土が一体となる。一体となった六角抵抗ブロック２０に取り付けてある寸切りボルト１１とブロック部材１をワッシャー１２とナット１３で連結し一体とすることで簡単に誰でも高い耐震性能を確保することができる。
【符号の説明】
【００３７】
１  ブロック部材
１ａ  側端面
１ｂ  上面
２  プレート部材
２ａ  側面
２ｂ  上面
２ｃ  開口部
３  レール
４  ボルト
５  ナット
６  ワッシャー
７  ボルト
８  ナット
９  ワッシャー
１０  貫通孔
１１  ボルト
１２  ワッシャー
１３  ナット
２０  六角抵抗ブロック
【図１】
0003165719.tif 000003
【図２】
0003165719.tif 000004
【図３】
0003165719.tif 000005
【図４】
0003165719.tif 000006
【図５】
0003165719.tif 000007
【図６】
0003165719.tif 000008
【図７】
0003165719.tif 000009